(57)【要約】【課題】大規模災害によって公衆網との通信が遮断された場合であっても要救助者の持つ携帯端末と、救助者または避難者側の持つ携帯端末との通信を実現する技術を提供することにある。【解決手段】アドホックモード通信が可能な携帯端末１を使用し、公衆網２との通信が遮断されたことを検知したならば、アドホックモード通信を実行するための共通アドホックＩＤを登録する共通アドホックＩＤ登録ステップと、共通アドホックＩＤ登録ステップが登録した共通アドホックＩＤを前記携帯端末１に設定する共通アドホックＩＤ設定ステップと、共通アドホックＩＤが設定されたならば、前記携帯端末１はアドホックモード通信を自動的に起動することを特徴とする。【選択図】    図１
2015165627.tif 000002
【特許請求の範囲】
【請求項１】
アドホックモード通信が可能な無線端末の前記アドホックモード通信を起動するプログラムであって、
前記無線端末が帰属する無線基地局を介して所定の緊急情報を取得する緊急情報取得ステップと、
近傍に存在している他無線端末と前記アドホックモード通信を実行するための共通アドホックＩＤを登録する共通アドホックＩＤ登録ステップと、
前記共通アドホックＩＤ登録ステップが登録した共通アドホックＩＤを前記無線端末に設定する共通アドホックＩＤ設定ステップと、を有し、
前記緊急情報取得ステップが前記緊急情報を取得した場合に、前記共通アドホックＩＤ設定ステップは前記共通アドホックＩＤを前記無線端末に設定し、前記アドホックモード通信を自動的に起動することを特徴とするアドホックモード通信起動プログラム。
【請求項２】
請求項１に記載のアドホックモード通信起動プログラムであって、
前記緊急情報取得ステップが緊急情報を取得すると、前記無線端末と該無線端末が帰属する無線基地局との通信を継続しているか否かを監視する無線基地局継続監視手段と、をさらに有し、
前記無線基地局継続監視手段が無線基地局との通信を継続していないことを検出すると、前記共通アドホックＩＤ設定ステップは前記共通アドホックＩＤを前記無線端末に設定し、前記アドホックモード通信を自動的に起動することを特徴とするアドホックモード通信起動プログラム。
【発明の詳細な説明】
【技術分野】
【０００１】
本発明は、大規模災害において、携帯端末同士が相互に通信を可能とする技術に関する。
【背景技術】
【０００２】
特許文献１には、大規模災害が発生した際に、救助支援サーバが、スマートフォンから送られてきた避難者と要救助者の位置情報を収集し、避難者に最も近い避難ルートを通知する。また、救助支援サーバは、救助する意志を示した避難者に対し、近くにいる要救助者の位置情報を通知する技術が記載されている。
【先行技術文献】
【特許文献】
【０００３】
【特許文献１】特開２０１３−２５６５３号公報
【発明の概要】
【発明が解決しようとする課題】
【０００４】
しかしながら特許文献１の技術は、スマートフォン（以下、携帯端末と呼称）を用いて、救助要請信号を、公衆網を介して救助支援サーバに送信することが前提となっている。そのため、例えば携帯端末と公衆網とをつなぐ携帯端末の無線通信基地局（以下、基地局と呼称）において、基地局が大規模災害によって故障や断線または輻輳が発生すると公衆網の通信が遮断されてしまい、救助要請信号を救助支援サーバに送信できない。
【０００５】
本発明は上記課題に鑑みなされたものであって、その目的は大規模災害によって公衆網との通信が遮断された場合であっても要救助者の持つ携帯端末と、救助者または避難者側の持つ携帯端末との通信を実現する技術を提供することにある。
【課題を解決するための手段】
【０００６】
上記課題を解決するため、本発明は、アドホックモード通信が可能な無線端末の前記アドホックモード通信を起動するプログラムであって、前記無線端末が帰属する無線基地局を介して所定の緊急情報を取得する緊急情報取得ステップと、近傍に存在している他無線端末と前記アドホックモード通信を実行するための共通アドホックＩＤを登録する共通アドホックＩＤ登録ステップと、前記共通アドホックＩＤ登録ステップが登録した共通アドホックＩＤを前記無線端末に設定する共通アドホックＩＤ設定ステップと、を有し、前記緊急情報取得ステップが前記緊急情報を取得した場合に、前記共通アドホックＩＤ設定ステップは前記共通アドホックＩＤを前記無線端末に設定し、前記アドホックモード通信を自動的に起動することを特徴とする。
【発明の効果】
【０００７】
本発明によれば、携帯端末は、緊急速報を受信すると、共通ＩＤを用いたアドホック通信を開始し、近傍に存在する無線端末と通信を実現する。したがって、大規模災害によって公衆網との通信が遮断された場合であっても要救助者の持つ携帯端末と、救助者または避難者側の持つ携帯端末との通信を実現することができる。
【図面の簡単な説明】
【０００８】
【図１】図１は、本実施の形態に係るアドホックモード通信起動プログラムがインストールされた携帯端末を含む無線システムの全体構成図である。
【図２】図２は、本実施の形態に係るアドホックモード通信起動プログラムがインストールされた携帯端末の動作シーケンス図である。
【図３】図３は、本実施の形態に係るアドホックモード通信起動プログラムがインストールされた携帯端末の機能ブロック図である。
【図４】図４は、本実施の形態に係るアドホックモード通信起動プログラムがインストールされた携帯端末のフロー図である。
【発明を実施するための形態】
【０００９】
以下、本発明の一実施の形態について図面を参照しながら説明する。尚、実質同一部位には、同じ参照番号を振り、説明は繰り返さない。
【００１０】
図１は、本実施の形態に係るアドホックモード通信起動プログラムがインストールされた携帯端末１を含む無線システムの全体構成図である。
【００１１】
図示するように、無線システムは、携帯端末１、公衆網２と、緊急情報配信サーバ３、基地局４とから構成される。携帯端末１は、基地局４を介して公衆網２と接続し、通話およびデータ通信等の通信機能を具備する携帯電話である。また、携帯端末１は、第一の無線通信機能（例えば３Ｇ、ＬＴＥ（Ｌｏｎｇ  Ｔｅｒｍ  Ｅｖｏｌｕｔｉｏｎ、登録商標）等）と、携帯端末１の位置情報を取得する位置情報取得機能（例えば、ＧＰＳ（Ｇｌｏｂａｌ  Ｐｏｓｉｔｉｏｎｉｎｇ  Ｓｙｓｔｅｍ）機能等）と、前記第一の無線通信機能とは別の第二の無線通信機能（例えば、無線ＬＡＮ（Ｌｏｃａｌ  Ａｒｅａ  Ｎｅｔｗｏｒｋ）、Ｗｉ−Ｆｉ（Ｗｉｒｅｌｅｓｓ  Ｆｉｄｅｌｉｔｙ、登録商標）、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、登録商標）等）を具備する無線端末である（例えば、スマートフォン、タブレット等）。本実施の形態では、第一の無線通信機能を３Ｇ（以下、公衆網通信と呼称）、第二の無線通信機能を無線ＬＡＮとして説明する（以下、アドホック通信と呼称）。また、携帯端末１は、発明対象であるアドホックモード通信起動プログラム（例えば、スマートフォン用アプリケーションソフト）がインストールされている。
【００１２】
公衆網２は、携帯電話機における携帯電話網および緊急情報配信サーバ３が接続するネットワーク網を意味する。
【００１３】
緊急情報配信サーバ３は、緊急情報を配信する事業者（例えば、市町自治団体等）が運営する緊急情報配信専用の配信サーバであって、緊急情報（例えば、気象庁からの緊急地震速報）を受信すると公衆網通信を介して特定の地域内に存在する携帯端末１に当該緊急情報を配信する緊急情報送信機能を有する。
【００１４】
緊急情報配信サーバ３が、緊急情報を受信すると特定の地域内に存在する携帯端末１に受信した緊急情報を配信する。緊急情報配信サーバ３から緊急情報を受信した携帯端末１は、基地局４が故障したことを検出する、または公衆網２の通信が輻輳して通信ができないことを検出して通信不能の状態を検出する（以下、公衆網接続切断と呼称）。そして、携帯端末１は、公衆網接続切断を検出すると、インストールされているアドホックモード通信起動プログラムを実行してアドホックモードを起動し、画面上に救助要請が必要か否か旨のメッセージを含む救助要請ボタンを表示する。
【００１５】
ここで、携帯端末１−１が救助する側、携帯端末１−２が救助される側とし、携帯端末１−１の近傍に携帯端末１−２が存在し、アドホックモードによるアドホック通信を確立したとする。
【００１６】
携帯端末１−２は、アドホック通信を確立した携帯端末１−１に対し救助要請通知を送信すると共に、携帯端末１−２の位置情報取得機能から位置情報を取得し、最新の位置情報を送信する。携帯端末１−１は、携帯端末１−２より救助要請通知、位置情報を受信すると、携帯端末１−２から救助要請が届いている旨のメッセージを受信した位置情報とともに自端末の画面上に地図表示する。
【００１７】
本実施の形態では、緊急情報について気象庁からの緊急地震速報を例にして説明する。なお、緊急地震速報を受信するかわりに、緊急情報配信サーバ３が風速計を具備し、風速計の数値が異常に高いことを検出するようにしてもよい。また、津波警報や国・地方公共団体が配信する災害・避難情報であってもよい。
【００１８】
図２は、本実施の形態に係るアドホックモード通信起動プログラムがインストールされた携帯端末１の動作シーケンス図である。尚、本シーケンスは、携帯端末１−１、１−２が公衆網２を介して緊急情報配信サーバ３からの緊急情報が受信可能な状態で、緊急情報配信サーバ３が気象庁からの緊急情報を受信したところから開始する。
【００１９】
緊急情報配信サーバ３は、緊急情報を受信すると、公衆網通信を介して携帯端末１−１、１−２に緊急情報を配信する（Ｓ１０１）。緊急情報を受信した携帯端末１−１、１−２は公衆網接続監視を開始する（Ｓ１０２）。
【００２０】
ここで、地震が発生し、携帯端末１−１、１−２は基地局４が故障し公衆網接続切断を検出したとする。携帯端末１−１、１−２は公衆網２との接続が切断したことを検出すると（Ｓ１０３）、アドホックモード通信起動プログラムを実行し、ＳＳＩＤを共通アドホックＩＤに設定したアドホックモードを起動する（Ｓ１０４）。そして、携帯端末１−１、１−２は救助要請ボタンを表示し（Ｓ１０５）、救助要請ボタン表示に対応する使用者による救助要請ボタン押下の検出の監視を開始する（Ｓ１０６）。
【００２１】
さらに携帯端末１−１、１−２は、無線ＬＡＮのアドホックモードにおけるビーコン検出動作にて、自端末の近傍にある接続可能な携帯端末の監視（以下、接続可能端末監視と呼称）を開始する（Ｓ１０７）。
【００２２】
使用者による救助要請ボタンの押下を検出したならば、携帯端末１−２は、無線ＬＡＮのアドホックモードにおけるビーコン送出を開始する（Ｓ１０８）。これと同時に、救助要請通知を生成・保持する（Ｓ１０９）。ステップ１０７で接続可能端末監視を開始して接続可能端末を検出すると（Ｓ１１０）、携帯端末１−２は、接続要求を携帯端末１−１に対して送信し（Ｓ１１１）、携帯端末１−１と携帯端末１−２の間の通信を確立する無線接続処理を行う（Ｓ１１２）。そして、携帯端末１−２は携帯端末１−１に対して救助要請通知を送信し（Ｓ１１３）、救助要請通知を表示する（Ｓ１１４）。
【００２３】
携帯端末１−１は、救助要請通知を受信すると（Ｓ１１３）、受信した救助要請通知を表示・保持する（Ｓ１１５）。アドホックモードを起動する際のＳＳＩＤは、工場出荷時に予め設定された緊急用の共通ＩＤである。
【００２４】
尚、携帯端末１−２が携帯端末１−１に対して救助要請通知を送信した後（Ｓ１１３）、携帯端末１−１は携帯端末１−２から受信した救助要請通知と、携帯端末１−２からの救助要請を受理するか否かのボタンを表示し、携帯端末１−１は携帯端末１−２から受信した救助要請を受理するボタンを押下したことを検出したならば、携帯端末１−１は携帯端末１−２に対して救助要請受理通知を送信し、携帯端末１−２は携帯端末１−１からの救助要請受理通知を受信し、携帯端末１−２は救助要請通知を表示する（Ｓ１１４）と共に携帯端末１−１によって救助要請が受理されたことを表示する様にしても良い。
【００２５】
図３は、本実施の形態に係るアドホックモード通信起動プログラムがインストールされた携帯端末１の機能ブロック図である。
【００２６】
図示するように、携帯端末１は、無線通信部１０１、アドホック通信制御部１０２、公衆網通信制御部１０３、端末制御部１０４、表示部１０５、入力部１０６、緊急情報受信部１０７、公衆網接続監視部１０８、救助要請処理部１０９、救助要請通知生成部１１０、位置情報取得部１１１、救助要請通知保持部１１２、救助要請通知送受信部１１３、通報部１１４とから構成される。
【００２７】
無線通信部１０１は、基地局４または携帯端末１との無線通信機能全般の処理を行う。また、無線通信部１０１は、公衆網通信制御部１０３と連携して、基地局４への帰属処理を行う（以下、公衆網接続処理と呼称）。公衆網接続処理を完了すると、無線通信部１０１は、基地局４から検出した無線信号をデータに復調して公衆網通信制御部１０３に渡す。また、公衆網通信制御部１０３からデータを渡されると、無線信号に変調して変調した無線信号を基地局４へ送出する。さらに、無線通信部１０１は、アドホック通信制御部１０２と連携して、他の携帯端末１と共通アドホックＩＤに基づくアドホック接続処理（以下、無線接続処理と呼称）を行う。無線接続処理を完了すると、無線通信部１０１は、他の携帯端末１から検出した無線信号をデータに復調してアドホック通信制御部１０２に渡す。また、アドホック通信制御部１０２からデータを渡されると、無線信号に変調して変調した無線信号を他の携帯端末１へ送出する。
【００２８】
アドホック通信制御部１０２は、救助要請処理部１０９からの要求に応じて、アドホック通信を確立する。具体的には、アドホック通信制御部１０２は、図示しないが、アドホック通信を行うための共通アドホックＩＤを記憶し、他の携帯端末１が送信するビーコンに含まれるＳＳＩＤが共通アドホックＩＤであった場合に、無線ＬＡＮによるアドホック通信を確立する。また、アドホック通信制御部１０２は救助要請処理部１０９からアドホックモード起動要求を受信すると、自端末に予め記憶された共通アドホックＩＤをＩＤとするアドホックモードを起動し、アドホックモード起動通知を救助要請処理部１０９に対して送信する。アドホック通信制御部１０２は、他の携帯端末１からのビーコンを受信して、他の携帯端末１の存在を検出したならば共通アドホックＩＤに基づき他の携帯端末１と無線接続処理を行う。他の携帯端末１と無線接続処理を行い、アドホック通信が確立したならば、アドホック通信制御部１０２は救助要請処理部１０９に対してアドホックモード接続通知を送信する。アドホック通信制御部１０２は、無線通信部１０１を介して送られたデータをデコードし、受信したデータが救助要請通知か否かを判断する。その結果が救助要請通知であるならば、救助要請通知を救助要請通知送受信部１１３へ送信し、救助要請通知でなければ、受信したデータを端末制御部１０４に送信する。アドホック通信制御部１０２は、救助要請処理部１０９からアドホックモード終了要求を受信するとアドホック通信制御部１０２は、アドホックモードを終了する。アドホック通信制御部１０２は、救助要請処理部１０９から通知タイミング設定要求を受信したならば、アドホック通信制御部１０２は、通知タイミングの設定を行う。アドホック通信制御部１０２は、切断要求を受信したならば無線接続切断処理を行い、切断要求送信元の携帯端末と無線通信部１０１を介して切断し、通知タイミングのカウントを開始する。アドホック通信制御部１０２は、検出した接続可能端末が通知タイミングか否かを判断し、アドホック通信制御部１０２は、検出した接続可能端末が通知タイミングであれば、無線通信部１０１を介して携帯端末へ接続要求を送信する。全ての救助要請通知を送信が完了したならば、アドホック通信制御部１０２は全ての接続要求を送信した携帯端末へ切断要求を送信する。
【００２９】
公衆網通信制御部１０３は、無線通信部１０１からデータを受信した場合、そのデータをデコードして緊急情報であるか否かを判断し、緊急情報であるならばその緊急情報のデータを緊急情報受信部１０７へ送信する。受信したデータが緊急情報でないならば端末制御部１０４へ送信する。公衆網通信制御部１０３は、端末制御部１０４と通報部１１４よりデータを受信した場合、そのデータを無線通信部１０１へ送信する。公衆網通信制御部１０３は、救助要請処理部１０９から公衆網通信制御部１０３に、公衆網との通信を停止させるための要求である公衆網通信停止要求を受信したならば、公衆網通信制御部１０３は通信に関わる動作を一時停止する。公衆網通信制御部１０３は、救助要請処理部１０９から公衆網が復帰したことを受信したならば、公衆網通信制御部１０３は通信に関わる動作を復帰し、公衆網との通信を開始する。
【００３０】
端末制御部１０４は、救助要請処理部１０９から救助要請ボタン表示開始要求を受信したならば、表示部１０５に対して救助要請ボタン表示開始要求を送出する。端末制御部１０４は、救助要請処理部１０９から救助要請ボタン表示停止要求を受信したならば、表示部１０５に対して救助要請ボタン表示停止要求を送出する。端末制御部１０４は、救助要請処理部１０９から救助要請ボタン押下監視開始要求を受信したならば、救助要請ボタンの監視を開始する。端末制御部１０４は、救助要請処理部１０９から、救助要請ボタン押下監視停止要求を受信したならば、端末制御部１０４は、救助要請ボタンの監視を停止する。端末制御部１０４は、入力部１０６から、救助要請ボタン押下情報を受信したならば、救助要請処理部１０９に対し、救助要請ボタン押下情報と、位置情報取得部１１１より一定時間毎に受信する最新の位置情報を送信する。端末制御部１０４は、救助要請処理部１０９から救助要請通知表示開始要求を受けたならば表示部１０５へ救助要請通知表示開始要求を送信する。端末制御部１０４は、救助要請処理部１０９から救助要請通知表示停止要求を受けたならば表示部１０５へ救助要請通知表示停止要求を送信する。端末制御部１０４は、アドホック通信制御部１０２からデータを受信したならば、通常時におけるアドホック通信のデータ受信として処理する。また、救助要請通知以外を、アドホック通信を用いて送信する場合には、端末制御部１０４はデータをアドホック通信制御部１０２へ送信する。端末制御部１０４は、公衆網通信制御部１０３からデータを受信したならば、通常時における公衆網通信のデータ受信として処理する。また、救助要請通知以外のデータを、公衆網通信を用いて送信する場合には、端末制御部１０４はデータを公衆網通信制御部１０３へ送信する。
【００３１】
表示部１０５は、端末制御部１０４から救助要請ボタン表示開始要求を受けたならば、救助要請ボタンを表示する。表示部１０５は、端末制御部１０４から救助要請ボタン表示停止要求を受けたならば、救助要請ボタンの表示を停止する。表示部１０５は、端末制御部１０４から救助要請通知表示開始要求を受けたならば、救助要請通知を表示する。表示部１０５は、端末制御部１０４から救助要請通知表示停止要求を受けたならば、救助要請通知の表示を停止する。
【００３２】
入力部１０６は、使用者の操作にて救助要請ボタンを押下されたならば、端末制御部１０４へ救助要請ボタン押下情報を送信する。
【００３３】
緊急情報受信部１０７は、公衆網通信制御部１０３を監視し、公衆網通信制御部１０３が緊急情報を受けたならば、公衆網接続監視部１０８に対して公衆網接続監視開始要求を送信する。
【００３４】
公衆網接続監視部１０８は、緊急情報受信部１０７から公衆網接続監視開始要求を受信すると、無線通信部１０１を監視し、公衆網接続切断または、公衆網接続復帰を検出した場合に、救助要請処理部１０９に公衆網接続切断および公衆網接続復帰を通知する。
【００３５】
具体的には、公衆網通信制御部１０３が、携帯端末１の位置情報をホーム・ロケーション・レジスタに登録する際（以下、位置登録処理と呼称）に無線通信部１０１を介して基地局４に送信される位置登録要求を監視し、一定時間、基地局４からの応答が無い場合に公衆網接続切断と判定する。同様に、公衆網接続切断と判定している状態で、公衆網通信制御部１０３が一定時間毎に無線通信部１０１を介して基地局４に送信される位置登録要求を監視し、当該位置登録要求に対して応答を検出し位置登録処理を実行された場合に、公衆網接続復帰と判定する。公衆網接続監視部１０８の説明に戻る。
【００３６】
また、公衆網接続監視部１０８は、救助要請処理部１０９からの公衆網接続監視停止要求を受けたならば、無線通信部１０１の監視を停止する。公衆網接続監視部１０８は、公衆網接続監視を一定時間継続したならば、救助要請処理部１０９に対して公衆網接続切断未検出を通知する。
【００３７】
救助要請処理部１０９は、公衆網接続監視部１０８の接続監視を開始してから一定時間が経過する間に、公衆網接続監視部１０８から公衆網接続切断を受信したならば、公衆網接続監視部１０８に対して公衆網接続監視停止要求を送信後、公衆網接続監視開始要求を送信し、アドホック通信制御部１０２へアドホックモード起動要求を送信すると共に公衆網通信制御部１０３に対し公衆網通信停止要求を送信する。救助要請処理部１０９は、公衆網接続監視部１０８から公衆網接続切断未検出を受信したならば、公衆網接続監視部１０８に対して公衆網接続監視停止要求を送信する。救助要請処理部１０９は、アドホック通信制御部１０２からアドホックモード起動通知を受信したならば、端末制御部１０４に対して救助要請ボタン表示開始要求と、救助要請ボタン押下監視開始要求を送信する。また、救助要請処理部１０９は、アドホック通信制御部１０２からアドホックモード接続通知を受信したならば、救助要請通知保持部１１２へ救助要請通知読出要求を送信し、救助要請通知保持部１１２から自端末が保持している救助要請通知を読み出し、その読み出した救助要請通知を救助要請通知送受信部１１３へ送信する。救助要請処理部１０９は、救助要請通知送受信部１１３から救助要請通知を受信したならば、救助要請通知保持部１１２へ救助要請通知読出要求を送信し、救助要請通知保持部１１２から自端末で保持している救助要請通知を読み出し、受信した救助要請通知は記憶済みかどうかを判断する。救助要請処理部１０９は、救助要請処理部１０９にて判断した結果、受信した救助要請通知は記憶済みでないならば、救助要請通知保持部１１２に救助要請通知を送信し、端末制御部１０４に救助要請通知表示開始要求を送信する。救助要請処理部１０９は、端末制御部１０４から、救助要請ボタン押下情報と位置情報を受信したならば、救助要請通知生成部１１０へ救助要請通知生成要求を送信し、アドホック通信制御部１０２へ通知タイミング設定要求を送信する。救助要請処理部１０９は、救助要請通知生成部１１０から救助要請通知を受信したならば、救助要請通知送受信部１１３と救助要請通知保持部１１２に救助要請通知を送信する。救助要請処理部１０９は、公衆網接続監視開始要求を送信後、公衆網接続監視部１０８から公衆網接続復帰を受信したならば、公衆網接続監視部１０８へ公衆網接続監視停止要求を送信し、端末制御部１０４に対して救助要請ボタン押下監視停止要求、及び救助要請ボタン表示停止要求を送信し、アドホック通信制御部１０２へアドホックモード終了要求を送信し、さらに自端末にて保持している救助要請通知を通報部１１４へ送信し、公衆網通信制御部１０３に対し公衆網接続復帰の情報を送信し、救助要請通知表示停止要求を端末制御部１０４に送信する。さらに、救助要請処理部１０９は、救助要請通知保持部１１２に対して救助要請通知全削除要求を送信する。
【００３８】
救助要請通知生成部１１０は、救助要請処理部１０９から救助要請通知生成要求を受けたならば、救助要請通知を生成し、救助要請処理部１０９へ渡す。
【００３９】
位置情報取得部１１１は、位置情報を取得したならば、端末制御部１０４に取得した位置情報を送信する。
【００４０】
救助要請通知保持部１１２は、救助要請処理部１０９から救助要請通知を受信したならば、その救助要請通知を保持する。また、救助要請処理部１０９から救助要請通知読出要求を受信したならば、保持している救助要請通知を救助要請処理部１０９へ送信する。救助要請通知保持部１１２は、救助要請処理部１０９から救助要請通知全削除要求を受信したならば、救助要請通知保持部１１２にて保持している救助要請通知を全て削除する。
【００４１】
救助要請通知送受信部１１３は、アドホック通信制御部１０２より救助要請通知を受けたならば、その情報を救助要請処理部１０９に渡す。また、救助要請処理部１０９から救助要請通知を受けたならば、アドホック通信制御部１０２に対して救助要請通知を送信する。
【００４２】
通報部１１４は、保持した救助要請通知を救助要請処理部１０９から受信したならば、公衆網通信制御部１０３に送る。また、通報部１１４は、図示しないが、予め緊急時の通報先を記憶している。
【００４３】
図４は、本実施の形態に係るアドホックモード通信起動プログラムがインストールされた携帯端末１のフロー図である。尚、本フロー図は、携帯端末１が公衆網２を介して緊急情報配信サーバ３からの緊急情報が受信可能な状態から開始する。
【００４４】
携帯端末１は、公衆網２よりデータを受信するのを待つ（Ｓ２０１）。公衆網２よりデータを受信すると、携帯端末１は、受信したデータが緊急情報か否かを判断する（Ｓ２０２）。
【００４５】
受信したデータが緊急情報でないならば（Ｓ２０２でＮＯ）、携帯端末１は、通常のデータ受信として処理する（Ｓ２０３）。そして本フローを終了する。
【００４６】
受信したデータが緊急情報であれば（Ｓ２０２でＹＥＳ）、携帯端末１は、一定時間の公衆網接続監視を開始し（Ｓ２０４）、公衆網接続切断を検出する（Ｓ２０５）、一定時間が経過する（Ｓ２０６）、の何れかを待つ。
【００４７】
一定時間が経過したならば（Ｓ２０６でＹＥＳ）、携帯端末１は本フローを終了する。
【００４８】
公衆網接続切断を検出したならば（Ｓ２０５でＹＥＳ）、携帯端末１は、一定時間の公衆網接続監視を停止し、公衆網接続復帰監視を開始する（Ｓ２０７）。
【００４９】
そして、携帯端末１は、自端末に予め記憶された共通アドホックＩＤを設定し、アドホックモードを起動する（Ｓ２０８）。そして、携帯端末１は、アドホックモードによる接続可能端末監視を開始し、救助要請ボタンを表示、さらに救助要請ボタン押下検出を開始する（Ｓ２０９）。
【００５０】
次に、携帯端末１は、接続可能端末を検出する（Ｓ２１０）、救助要請ボタン押下を検出する（Ｓ２１７）、切断要求を受信する（Ｓ２２０）、接続要求を受信する（Ｓ２２２）、公衆網接続復帰を検出する（Ｓ２２８）、の何れかを待つ。
【００５１】
接続可能端末を検出すると（Ｓ２１０でＹＥＳ）、携帯端末１は、検出した接続可能端末のＭＡＣアドレスを携帯端末ＩＤとして、無線接続テーブルを検索し、通知タイミングであるか否かを判断する（Ｓ２１１）。携帯端末１は、無線接続テーブルを検索し、ヒットしなかった、または無線接続テーブルを検索してヒットし、現在時刻と接続開始時刻を比較した結果、一定時間が経過しているならば、通知タイミングであると判断し（Ｓ２１１でＹＥＳ）、検出した接続可能端末のＭＡＣアドレスを無線接続テーブルの携帯端末ＩＤの接続開始時刻に現在時刻を更新、またはＭＡＣアドレスと現在時刻を、無線接続テーブルの携帯端末ＩＤと接続開始時刻へ新規登録する（Ｓ２１２）。
【００５２】
携帯端末１は、接続可能な全ての携帯端末へ接続要求を送信する（Ｓ２１３）。検出した接続可能端末と自端末が無線接続処理にて、接続可能端末と自端末の接続が確立したならば、携帯端末１は、自端末が保持している救助要請通知を読み出し、携帯端末１は、アドホックモードにより接続した全ての端末に対し、全ての救助要請通知を送信する（Ｓ２１４）。全ての救助要請通知の送信が完了したならば、携帯端末１は接続している全ての携帯端末へ切断要求を送信し（Ｓ２１５）、携帯端末１は、無線接続切断処理を行い、接続している全ての携帯端末と切断し、携帯端末１は通知タイミングのカウントを開始する（Ｓ２１６）。
【００５３】
救助要請ボタンの押下を検出すると（Ｓ２１７でＹＥＳ）、携帯端末１は、ビーコンの送出を開始し（Ｓ２１８）、救助要請通知を生成し、救助要請通知の保持、通知タイミングの設定を行い（Ｓ２１９）、ステップ２２０へ移行する。
【００５４】
切断要求を受信すると（Ｓ２２０でＹＥＳ）、携帯端末１は、無線接続切断処理を行い、切断要求の送信元である端末との接続を切断し（Ｓ２２１）、ステップ２２２へ移行する。
【００５５】
接続要求を受信すると（Ｓ２２２でＹＥＳ）、携帯端末１は、無線接続処理を行い、無接続要求の送信元である携帯端末と接続を行い、接続された携帯端末からデータを受信する（Ｓ２２３）。そして、携帯端末１は、受信したデータが救助要請通知か否かを判断する（Ｓ２２４）。
【００５６】
受信したデータが救助要請通知ならば（Ｓ２２４でＹＥＳ）、携帯端末１は、自端末で保持している救助要請通知を読み出して、受信した救助要請通知は記憶済みかどうかを判断する（Ｓ２２５）。
【００５７】
受信した救助要請通知は記憶済みでなければ（Ｓ２２５でＮＯ）、携帯端末１は、救助要請通知を表示・保持する（Ｓ２２６）。
【００５８】
一方、受信したデータが救助要請通知でなければ（Ｓ２２４でＮＯ）、携帯端末１は、通常のデータ受信処理を行い（Ｓ２２７）、ステップ２２８へ移行する。
【００５９】
受信した救助要請通知が記憶済み（Ｓ２２５でＹＥＳ）、または、接続要求を受信していないならば（Ｓ２２２でＮＯ）、携帯端末１は、ステップ２２８へ移行する。
【００６０】
次に、公衆網との接続が復帰したか否かを検出する（Ｓ２２８）。公衆網接続復帰を検出しなければ（Ｓ２２８でＮＯ）、ステップ２３４へ移行し、ビーコンを検出したかどうかを判断する（Ｓ２３４）。ビーコンを検出したならば（Ｓ２３４でＹＥＳ）、ビーコンの応答信号を送出し、ステップ２１０へ移行する。ビーコンを検出していないならば（Ｓ２３４でＮＯ）、ステップ２１０へ移行する。
【００６１】
公衆網接続復帰を検出したならば（Ｓ２２８でＹＥＳ）、携帯端末１は、公衆網接続監視を停止する（Ｓ２２９）。そして、携帯端末１は、救助要請通知を予め設定された公衆網上の通報先に対して、送信出来るようにデータを変更し、公衆網上の通報先に救助要請通知を送信する（Ｓ２３０）。また、携帯端末１は、保持している救助要請通知を全て削除する（Ｓ２３１）。また、携帯端末１は、接続可能端末監視を停止する。さらに、携帯端末１は、救助要請ボタンの押下検出を停止する（Ｓ２３２）。また、携帯端末１は、救助要請ボタンの表示を停止する。さらに、携帯端末１は、アドホックモードを終了し（Ｓ２３３）、本フローを終了する。
【００６２】
以上、本発明の一実施の形態について説明した。
【００６３】
本実施の形態によれば、携帯端末１は、緊急速報を受信すると、予め設定された共通アドホックＩＤによるアドホックモードを起動する。そして、携帯端末１は、近傍にアドホックモードを起動した他の携帯端末を検出すると、自動的にアドホックモードによる通信を確立する。
【００６４】
したがって、大規模災害によって公衆網との通信が遮断された場合であっても要救助者の持つ携帯端末と、救助者または避難者側の持つ携帯端末との通信を実現することができる。
【００６５】
また、本実施の形態によれば、携帯端末１は、緊急速報を受信すると、一定時間、公衆網通信の接続切断を監視し、公衆網接続切断を検出すると、予め設定された共通アドホックＩＤによるアドホックモードを起動する。そして近傍にアドホックモードを起動した他の携帯端末が存在すると、自動的にアドホックモードの通信を確立する。
【００６６】
したがって、緊急速報を受信し、公衆網通信ができない状態となった場合に、端末自身が共通アドホックＩＤを自動的に設定することにより、使用者が共通アドホックＩＤを設定しなくても、アドホックモード通信を介して近傍の複数の携帯端末１と通信することができる。
【符号の説明】
【００６７】
１・・・携帯端末
１０１・・・無線通信部
１０２・・・アドホック通信制御部
１０３・・・公衆網通信制御部
１０４・・・端末制御部
１０５・・・表示部
１０６・・・入力部
１０７・・・緊急情報受信部
１０８・・・公衆網接続監視部
１０９・・・救助要請処理部
１１０・・・救助要請通知生成部
１１１・・・位置情報取得部
１１２・・・救助要請通知保持部
１１３・・・救助要請通知送受信部
１１４・・・通報部
２・・・公衆網
３・・・緊急情報配信サーバ
４・・・基地局
【図１】
2015165627.tif 000003
【図２】
2015165627.tif 000004
【図３】
2015165627.tif 000005
【図４】
2015165627.tif 000006